【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
送電装置であって、
充電装置に給電するための給電手段と、
前記送電装置が前記充電装置に給電を行うモードである場合、前記充電装置に電池の充電を行わせるための所定の電力量を前記充電装置に供給できるか否かを検出する制御手段とを有し、
前記所定の電力量を前記充電装置に供給できると検出された場合、前記制御手段は、前記充電装置による充電を許可することを示す第１のデータを前記充電装置に供給するようにし、
前記第１のデータが前記充電装置に供給された場合、前記制御手段は、前記所定の電力量に応じて、前記充電装置に給電を行うようにし、
前記送電装置から前記充電装置に給電が行われる場合、前記制御手段は、前記送電装置から前記充電装置に供給された電力量が前記所定の電力量以上であるか否かを検出し、
前記送電装置から前記充電装置に供給された電力量が前記所定の電力量以上であると検出された場合、前記制御手段は、前記充電装置への給電を停止し、前記充電装置への給電を停止することを示す第２のデータを前記充電装置に供給し、前記充電装置への給電を停止することを示す第１の表示データを表示するようにし、
前記所定の電力量を前記充電装置に供給できないと検出された場合、前記制御手段は、前記充電装置に前記所定の電力量を供給できないことを示す第３のデータを前記充電装置に供給し、前記充電装置に前記所定の電力量を供給できないことを示す第２の表示データを表示するようにすることを特徴とする送電装置。
【請求項２】
前記所定の電力量を前記充電装置に供給できないと検出された場合、前記制御手段は、前記充電装置に供給可能な電力量を示す第４のデータを前記充電装置に供給するようにすることを特徴とする請求項１に記載の送電装置。
【請求項３】
前記制御手段は、前記送電装置から前記充電装置に供給された電力量が前記所定の電力量以上であると検出されるまでの間、前記充電装置に給電を行うようにすることを特徴とする請求項１または２に記載の送電装置。
【請求項４】
前記所定の電力量は、前記電池を満充電にするための電力量を含むことを特徴とする請求項１から３のいずれか１項に記載の送電装置。
【請求項５】
前記所定の電力量は、ユーザによって設定される電力量を含むことを特徴とする請求項１から３のいずれか１項に記載の送電装置。
【請求項６】
充電装置であって、
送電装置から電力を供給される受電手段と、
前記充電装置が前記送電装置から給電されるモードである場合、電池の充電を行うための所定の電力量を前記送電装置が前記充電装置に供給できるか否かを検出する制御手段とを有し、
前記送電装置が前記所定の電力量を前記充電装置に供給できると検出された場合、前記制御手段は、前記充電装置による前記電池の充電を許可することを示す第１のデータを前記送電装置から受信するようにし、
前記第１のデータが前記送電装置から受信された場合、前記制御手段は、前記送電装置から前記受電手段を介して供給される電力を用いて前記電池の充電を行うようにし、
前記電池の充電が行われる場合、前記制御手段は、前記送電装置から前記充電装置への給電を停止することを示す第２のデータを前記送電装置から受信するようにし、
前記第２のデータが前記送電装置から受信された場合、前記制御手段は、前記電池の充電を停止し、前記電池の充電を停止することを示す第１の表示データを表示するようにし、
前記所定の電力量を前記送電装置が前記充電装置に供給できないと検出された場合、前記制御手段は、前記送電装置が前記充電装置に前記所定の電力量を供給できないことを示す第２の表示データを表示するようにすることを特徴とする充電装置。
【請求項７】
前記送電装置が前記所定の電力量を前記充電装置に供給できないと検出された場合、前記制御手段は、前記送電装置から前記送電装置が前記充電装置に供給可能な電力量を示す第３のデータを受信するようにし、前記送電装置が前記充電装置に供給可能な電力量を示す第３の表示データを表示するようにすることを特徴とする請求項６に記載の充電装置。
【請求項８】
前記制御手段は、前記送電装置から前記充電装置に供給された電力量が前記所定の電力量以上であると検出されるまでの間、前記送電装置から前記受電手段を介して供給される電力を用いて前記電池の充電を行うようにすることを特徴とする請求項６または７に記載の充電装置。
【請求項９】
前記所定の電力量は、前記電池を満充電にするための電力量を含むことを特徴とする請求項６から８のいずれか１項に記載の充電装置。
【請求項１０】
前記所定の電力量は、ユーザによって設定される電力量を含むことを特徴とする請求項６から８のいずれか１項に記載の充電装置。
【請求項１１】
請求項１から５のいずれか１項に記載の送電装置としてコンピュータを機能させるためのプログラム。
【請求項１２】
請求項６から１０のいずれか１項に記載の充電装置としてコンピュータを機能させるためのプログラム。
【手続補正２】
【補正対象書類名】明細書
【補正対象項目名】発明の名称
【補正方法】変更
【補正の内容】
【発明の名称】送電装置及び充電装置
【手続補正３】
【補正対象書類名】明細書
【補正対象項目名】０００１
【補正方法】変更
【補正の内容】
【０００１】
本発明は、送電装置及び充電装置に関する。
【手続補正４】
【補正対象書類名】明細書
【補正対象項目名】０００５
【補正方法】変更
【補正の内容】
【０００５】
本発明は、送電装置が充電装置に電池の充電のための電力量を供給できない場合であっても、ユーザにとって対応を取り易いようにすることを目的とする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明に係る送電装置は、送電装置であって、充電装置に給電するための給電手段と、前記送電装置が前記充電装置に給電を行うモードである場合、前記充電装置に電池の充電を行わせるための所定の電力量を前記充電装置に供給できるか否かを検出する制御手段とを有し、前記所定の電力量を前記充電装置に供給できると検出された場合、前記制御手段は、前記充電装置による充電を許可することを示す第１のデータを前記充電装置に供給するようにし、前記第１のデータが前記充電装置に供給された場合、前記制御手段は、前記所定の電力量に応じて、前記充電装置に給電を行うようにし、前記送電装置から前記充電装置に給電が行われる場合、前記制御手段は、前記送電装置から前記充電装置に供給された電力量が前記所定の電力量以上であるか否かを検出し、前記送電装置から前記充電装置に供給された電力量が前記所定の電力量以上であると検出された場合、前記制御手段は、前記充電装置への給電を停止し、前記充電装置への給電を停止することを示す第２のデータを前記充電装置に供給し、前記充電装置への給電を停止することを示す第１の表示データを表示するようにし、前記所定の電力量を前記充電装置に供給できないと検出された場合、前記制御手段は、前記充電装置に前記所定の電力量を供給できないことを示す第３のデータを前記充電装置に供給し、前記充電装置に前記所定の電力量を供給できないことを示す第２の表示データを表示するようにすることを特徴とする。
【手続補正７】
【補正対象書類名】明細書
【補正対象項目名】０００８
【補正方法】変更
【補正の内容】
【０００８】
本発明に係る充電装置は、充電装置であって、送電装置から電力を供給される受電手段と、前記充電装置が前記送電装置から給電されるモードである場合、電池の充電を行うための所定の電力量を前記送電装置が前記充電装置に供給できるか否かを検出する制御手段とを有し、前記送電装置が前記所定の電力量を前記充電装置に供給できると検出された場合、前記制御手段は、前記充電装置による前記電池の充電を許可することを示す第１のデータを前記送電装置から受信するようにし、前記第１のデータが前記送電装置から受信された場合、前記制御手段は、前記送電装置から前記受電手段を介して供給される電力を用いて前記電池の充電を行うようにし、前記電池の充電が行われる場合、前記制御手段は、前記送電装置から前記充電装置への給電を停止することを示す第２のデータを前記送電装置から受信するようにし、前記第２のデータが前記送電装置から受信された場合、前記制御手段は、前記電池の充電を停止し、前記電池の充電を停止することを示す第１の表示データを表示するようにし、前記所定の電力量を前記送電装置が前記充電装置に供給できないと検出された場合、前記制御手段は、前記送電装置が前記充電装置に前記所定の電力量を供給できないことを示す第２の表示データを表示するようにすることを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明によれば、送電装置が充電装置に電池の充電のための電力量を供給できない場合であっても、ユーザにとって対応を取り易くすることができる。